(57)【要約】【課題】全シーケンスの時間は変えずに１回のミラー駆動シーケンスにおける撮影枚数を１駒と複数駒とに切換可能とし、各露出の露出状態を所定の間隔で変化させることで、簡易な操作で所望とする一瞬を撮影可能とする。【解決手段】本発明は、被写体光束を受けて撮像を行なう撮像素子１４と、被写体光束を受けて被写体を観察する観察光学系と、被写体光束を上記観察光学系に導く第１の位置と、上記被写体光束の光路中から退避して上記被写体光束を撮像素子に導くため第２の位置に可動するクイックリターンミラー５と、このミラー５が上記第２の位置にある所定の期間に上記撮像素子を複数回の撮像を行なわせ、撮像それぞれの露光量を互いに異ならせる制御回路と、を有することを特徴とするデジタルカメラである。【選択図】      図１
2006166027.tif 000002
【特許請求の範囲】
【請求項１】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
上記反射ミラーが上記第２の位置にある所定の期間に上記撮像素子に複数回の撮像を行なわせ、撮像それぞれの露光量を互いに異ならせる制御手段と、
を有することを特徴とするデジタルカメラ。
【請求項２】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
上記反射ミラーが上記第２の位置にある所定の期間に上記撮像素子に対し複数回の撮像を行なわせる複数駒撮影モード手段と、
上記複数駒撮影モード手段において、撮像それぞれの露光量を互いに異ならせる制御手段と、
を有することを特徴とするデジタルカメラ。
【請求項３】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
上記反射ミラーが上記第２の位置にある所定の期間に上記撮像素子に対し１回の撮像を行なわせる１駒撮影モードと、上記所定の期間に上記撮像素子に対し複数回の撮像を行なわせる複数駒撮影モードと、のどちらかを選択し、上記複数駒撮影モードが選択されたとき、上記複数回の撮像それぞれの露光量を互いに異ならせる制御を行う制御手段と、
を有することを特徴とするデジタルカメラ。
【請求項４】
被写体光束を受けて撮像を行なう撮像素子と、
被写体光束を受けて被写体を観察する観察光学系と、
被写体光束を上記観察光学系に導く第１の位置と、上記被写体光束の光路中から退避して上記被写体光束を撮像素子に導くため第２の位置に可動する反射ミラーと、
上記反射ミラーが上記第２の位置にある所定の期間に上記撮像素子に対し１回の撮像を行なわせる１駒撮影モード手段と、
上記所定の期間に上記撮像素子に対し複数回の撮像を行なわせる複数駒撮影モード手段と、
上記１駒撮影モードと上記複数駒撮影モード手段のどちらかを実行させるための撮影モード選択手段と、
上記撮影モード選択手段の選択によって上記複数駒撮影モード手段が選択されたときは、上記複数回の撮像それぞれの露光量を互いに異ならせる制御を行う制御手段と、
を有することを特徴とするデジタルカメラ。
【請求項５】
上記デジタルカメラは１眼レフカメラであることを特徴とする上記請求項１乃至４のいずれかに記載のデジタルカメラ。
【請求項６】
ストロボ光量を制御することで上記複数回の撮像それぞれの露光量を互いに異ならせることを特徴とする請求項１乃至５のいずれかに記載のデジタルカメラ。
【請求項７】
上記制御手段は、各撮像毎の露光量を一定間隔で変化させることを更に特徴とする請求項１乃至４のいずれかに記載のデジタルカメラ。
【発明の詳細な説明】
【技術分野】
【０００１】
本発明は、デジタルカメラに係り、特に連続撮影を行うことが可能な一眼レフレックスタイプのデジタルカメラに関する。
【背景技術】
【０００２】
従来、一眼レフレックスタイプのカメラ（以下、一眼レフカメラと略記する）では、１コマにつき内蔵するクイックリターンミラーを１回光路退避位置へ移動させて撮影を行っている。また、１回のレリーズ操作に対して、クイックリターンミラーを上げた状態を保持しつつ複数コマの連続撮影を行うカメラが知られている。そして、この種の技術について、例えば特許文献１では、光学系の入射光を撮像素子側に保持しつつ、１回のミラー駆動で複数コマの高速撮影を可能とするカメラが開示されている。また、今日では、所謂連写モード時に８コマ／秒程度の連写を実現するカメラも実用化されている。
【特許文献１】特開平８−２７８５４１号公報
【発明の開示】
【発明が解決しようとする課題】
【０００３】
ところで、高速で移動している被写体やスポーツ写真等で、決定的な瞬間を捉えたい場合には、数ｍｓｅｃ〜１０数ｍｓｅｃのずれが、撮影タイミングを逃す事態を招く要因となることがある。また、８コマ／秒程度の連続撮影が可能なカメラは、その撮影間隔が１００〜１２５ｍｓｅｃであり、上述したタイミングを逸する可能性が高い。
【０００４】
一方、動画撮影については、一般的に市場に出回っているカメラでは１／６０ｓｅｃ毎に撮影を行っているが、この場合でも、その撮影間隔は１６．７ｍｓｅｃであり、高速での対応は不十分である。更に、動画の場合には、一瞬を捉えたいという撮影者の意図には合わず、無駄な撮影を行ってしまうという課題を依然として有している。
【０００５】
本発明の目的とするところは、全シーケンスの時間は変えずに１回のミラー駆動シーケンスにおける撮影枚数を１駒と複数駒とに切換可能とし、各露出の露出状態を所定の間隔で変化させることで、簡易な操作で所望とする露出状態で撮影可能とすることにある。
【課題を解決するための手段】
【０００６】
上記課題を解決するために、本発明の第１の態様では、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、上記反射ミラーが上記第２の位置にある所定の期間に上記撮像素子を複数回の撮像を行なわせ、撮像それぞれの露光量を互いに異ならせる制御手段とを有することを特徴とするデジタルカメラ。
【０００７】
本発明の第２の態様では、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、上記反射ミラーが上記第２の位置にある所定の期間に上記撮像素子に対し複数回の撮像を行なわせる複数駒撮影モード手段と、上記複数駒撮影モード手段において、撮像それぞれの露光量を互いに異ならせる制御手段とを有することを特徴とするデジタルカメラが提供される。
【０００８】
本発明の第３の態様では、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、上記反射ミラーが上記第２の位置にある所定の期間に上記撮像素子に対し１回の撮像を行なわせる１駒撮影モードと、上記所定の期間に上記撮像素子に対し複数回の撮像を行なわせる複数駒撮影モードと、のどちらかを選択し、上記複数駒撮影モードが選択されたとき、上記複数回の撮像それぞれの露光量を互いに異ならせる制御を行う制御手段とを有することを特徴とするデジタルカメラが提供される。
【０００９】
本発明の第４の態様では、被写体光束を受けて撮像を行なう撮像素子と、被写体光束を受けて被写体を観察する観察光学系と、被写体光束を上記観察光学系に導く第１の位置と、上記被写体光束の光路中から退避して上記被写体光束を撮像素子に導くため第２の位置に可動する反射ミラーと、上記反射ミラーが上記第２の位置にある所定の期間に上記撮像素子に対し１回の撮像を行なわせる１駒撮影モード手段と、上記所定の期間に上記撮像素子に対し複数回の撮像を行なわせる複数駒撮影モード手段と、上記１駒撮影モードと上記複数駒撮影モード手段のどちらかを実行させるための撮影モード選択手段と、上記撮影モード選択手段の選択によって上記複数駒撮影モード手段が選択されたときは、上記複数回の撮像それぞれの露光量を互いに異ならせる制御を行う制御手段とを有することを特徴とするデジタルカメラが提供される。
【００１０】
本発明の第５の態様では、上記第１乃至第４の態様において、上記デジタルカメラは１眼レフカメラであることを特徴とするデジタルカメラが提供される。
【００１１】
本発明の第６の態様では、上記第１乃至第５の態様において、ストロボ光量を制御することで上記複数回の撮像それぞれの露光量を互いに異ならせることを特徴とするデジタルカメラが提供される。
【００１２】
本発明の第７の態様では、上記第１乃至第４の態様において、上記制御手段は、各撮像毎の露光量を一定間隔で変化させることを更に特徴とするデジタルカメラが提供される。
【発明の効果】
【００１３】
本発明によれば、全シーケンスの時間は変えずに１回のミラー駆動シーケンスにおける撮影枚数を１駒と複数駒とに切換可能とし、各露出の露出状態を所定の間隔で変化させることで、簡易な操作で所望とする一瞬を撮影可能とするデジタルカメラを提供することができる。
【発明を実施するための最良の形態】
【００１４】
以下、図面を参照して、本発明の実施の形態について説明する。
【００１５】
(第１の実施の形態)
図１は本発明の第１の実施の形態に係るデジタルカメラの構成図である。より詳細には図１（ａ）は当該デジタルカメラの正面図であり、図１（ｂ）は当該デジタルカメラの側面図である。また、図２は、図１のデジタルカメラを背面側より見た外観斜視図である。
【００１６】
これらの図１（ａ），（ｂ）に示されるように、このデジタルカメラ１は、ボディユニット２と該ボディユニット２に装着可能なレンズユニット３からなる一眼レフカメラである。
【００１７】
即ち、レンズユニット３は、複数のレンズより成るもので、ボディユニット２内の後述する撮像素子１４に撮影光束を導くための撮影レンズ４を有している。
【００１８】
一方、ボディユニット２内には、該ボディユニット２内の各部に電源を供給するバッテリ１０が設けられている。上記撮影レンズ４を通過した撮影光束の光路上には当該撮影光束を反射するクイックリターンミラー（反射ミラー）５が配設されており、当該クイックリターンミラー５の反射光の光路上にはファインダスクリーン６、ペンタプリズム７、接眼光学系８が配設されている。そして、この接眼光学系８の近傍には測光ユニット９が設けられている。更に、クイックリターンミラー５の後方には測距用ミラー１１が設けられており、当該測距用ミラー１１での反射光の光路上には自動測距を行うための測距ユニット１２が設けられている。クイックリターンミラー５の中央部はハーフミラーになっており該クイックリターンミラー５がダウン（図示の位置；第１の位置）した際に一部の光束が透過する。クイックリターンミラー５のアップ時（第２の位置）には、測距用ミラー１１は折り畳まれるようになっている。さらに、クイックリターンミラー５の後方で、撮影光束の光路上には、フォーカルプレーンシャッタ１３と、光学系を通過した被写体像を光電変換するためのＣＣＤ等の撮像素子（イメージャ）１４と、この撮像素子１４等が配設されたメイン回路基板１５と、撮像素子１４により取り込まれた被写体像を表示するモニタ１６とが設けられている。
【００１９】
そして、図２に示されるように、このデジタルカメラ１のボディユニット２の上面部には、表示部２０とシャッタ釦２１、サブダイヤル２２、撮影モードダイヤル２３、メインスイッチ２４、撮影枚数釦２７が設けられている。また、ボディユニット２の背面部には、ファインダ接眼部２６とモニタ１６、メインダイヤル２５が設けられている。
【００２０】
より詳細には、表示部２０は、カメラの撮影情報等を表示するためのものである。シャッタ釦２１は、カメラの撮影操作を行うためのもので、２段式のレリーズスイッチで構成されている。メインダイヤル２５及びサブダイヤル２２は、各種のモードや数値の選択を行うためのダイヤルである。メインスイッチ２４は、本デジタルカメラの電源のオン／オフを切り替える為のスイッチである。撮影モードダイヤル２３は、露出制御方式の切換、例えばプログラムＡＥや絞り優先ＡＥ、シャッタスピード優先ＡＥ、マニュアル等の露出制御方式を選択するためのダイヤルである。そして、撮影枚数釦２７は、連続撮影を行う際のコマ数を設定するための釦である。例えば、初期状態では１コマ撮影、撮影枚数釦２７が１回押下されると３コマ撮影、２回押下されると５駒撮影、３回押下されると初期状態に復帰の如くコマ数が設定される。撮影枚数の設定に関しては、撮影枚数釦２７とメインダイヤル２４の操作の組合せにより所望枚数に設定自在となっている。露光量設定に関しては、露光量可変モード釦とメインダイヤル２４の操作の組合せにより設定可能となっている。この他、メインダイヤル２４とサブダイヤル２２の組合せにより各種のモード（例えば、ストロボモード）や数値の選択が可能となっている。
【００２１】
図３は、本発明の第１の実施の形態に於けるデジタルカメラの電気系のシステム構成を示すブロック図である。上述したように、この実施の形態に係るデジタルカメラ１は、ボディユニット２とレンズユニット３とにより構成されている。以下、各部につき詳述する。
【００２２】
レンズユニット２は、レンズモータユニット３０と、レンズ駆動回路３１と、絞りモータユニット３２と、絞り駆動回路３３と、レンズ内データ用メモリ３４とを有して構成されている。上記レンズモータユニット３０は、上述した撮影レンズ４を光軸方向に移動させるためのユニットである。このレンズモータユニット３０は、ボディユニット２内の後述する制御回路４０からレンズ駆動回路３１を介して、光軸方向の動きが制御される。絞りモータユニット３２は、制御回路４０から絞り駆動回路３３を介して制御されるものであって、撮像素子１４に入射される光束を制限する絞りを駆動する。また、レンズ内データ用メモリ３４は、撮影レンズ４のＦ値や焦点距離等、レンズユニット３内で使用される各種データが記憶されているものである。これらのレンズユニット３内の各部は、ボディユニット２内の制御回路４０からの指令に従って制御される。
【００２３】
一方、ボディユニット２は、本デジタルカメラ１内の各部の制御を司る制御回路４０を有している。この制御回路４０には、撮像素子（イメージャ）１４とミラー駆動回路４１、シャッタ駆動回路４３、測距回路４５、測光回路４６、メモリ４７、記憶回路４８、スイッチ入力部５０、表示駆動回路５１、画像表示回路５３、ストロボ駆動回路５７、上述したレンズユニット３内のレンズ駆動回路３１、絞り駆動回路３３及びレンズ内データ用メモリ３４が接続されている。撮像素子１４は、多チャンネルで高速読み出しが可能なイメージャで構成されている。ミラー駆動回路４１はモータユニット４２を駆動するためのもので、当該モータユニット４２が駆動されることによってクイックリターンミラー５がアップ位置及びダウン位置へ回転移動される。シャッタ駆動回路４３は、フォーカルプレーンシャッタ１３を構成するシャッタユニット４４を駆動するための回路である。シャッタユニット４４が駆動されることにより、フォーカルプレーンシャッタ１３の開閉、即ちシャッタスピードが制御される。測距回路４５は測距ユニット１２を駆動するためのものであり、この測距ユニット１２が駆動されることで本デジタルカメラ１から図示されない被写体までの距離が測定される。測光回路４６は、測光ユニット９を駆動するための回路である。この測光回路４６により、上記ペンタプリズム７からの光束に基づいて測光処理が行われる。メモリ４７はカメラ制御に必要な所定の制御パラメータや記録メディアへ書き込み前の撮影データを一時的に記憶するものであり、制御回路４０からアクセス可能に設けられている。記録回路４８は、撮像素子１４で撮像した画像をデータとして記録メディア４９に記録しておくための回路である。スイッチ入力部５０は、シャッタ釦２１、サブダイヤル２２、撮影モードダイヤル２３、メインスイッチ２４、撮影枚数釦２７等を有している。表示駆動回路５１は、カメラの上面部に設けられている表示部２０を含む表示ユニット５２を駆動するための回路である。画像表示回路５３は、カメラ背面部に設けられたモニタ１６を含むモニタユニット５４を駆動するための回路である。ストロボ駆動回路５７はストロボ発光部５８を駆動制御するための回路である。
【００２４】
尚、請求項記載の制御手段とは制御回路４０等に相当し、１駒撮影モード手段、複数駒撮影モード手段は、スイッチ入力部５０等に相当するものである。
【００２５】
次に、図４のタイミングチャートを参照して、本発明の第１の実施の形態に係るデジタルカメラによる連写モード（３コマ撮影）時の撮影動作について詳細に説明する。
【００２６】
以下の説明では、図１乃至図３の構成図を適宜参照する。
【００２７】
図中、ｔBはファインダの像消失時間を示し、ｔI1は１コマ目と２コマ目の間隔、ｔI2は２コマ目と３コマ目の間隔（ｔI1＝ｔI2＝3.3msec）、ｔ1は１コマ撮影までのレリーズタイムラグ、ｔ2は２コマ撮影までのレリーズタイムラグ（標準のレリーズタイムラグに相当する）、ｔ3は３コマ撮影までのレリーズタイムラグ、ｔ12は適正露出時間、ｔ11は１コマ目の撮影の露出時間（＝ｔ12＋０．５ＥＶ）、ｔ13は３コマ目の撮影の露出時間（＝t12−０．５ＥＶ）をそれぞれ意味している。
【００２８】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。そして、制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ1，ｔ2，ｔ3をもって連続３回の撮像を撮像素子１４により行う。
【００２９】
すなわち、制御回路４０は、連写モード時においては、通常撮影モード時の撮影タイミングで１回、そのタイミングの前後、所定の間隔ｔI1，ｔI2（＝３．３msec）のタイミングで２回の計３回の撮影を行うように制御することになる。
【００３０】
さらに、各撮影の露出時間は、１回目の撮影ではｔ11（＝ｔ12＋０．５ＥＶ）、２回目の撮影ではｔ12、３回目の撮影ではｔ13（＝t12−０．５ＥＶ）となるように、制御回路４０は各部を制御する。つまり、撮影のタイミング制御を重視しつつ、高速移動はしていないものの、変化のあるような被写体について一瞬の中で自分の所望とする露出状態での撮影が実現される。
【００３１】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、３００コマ／sec程度の連写が可能な素子シャッタ付きのイメージャを採用する。
【００３２】
次に、図５のタイミングチャートを参照して、本発明の第１の実施の形態に係るデジタルカメラによる連写モード（５コマ撮影）時の撮影動作について詳細に説明する。
【００３３】
以下の説明では、図１乃至図３の構成図を適宜参照する。尚、図６中、ｔBはファインダの像消失時間を示し、ｔI1は１コマ目と２コマ目の間隔、ｔI2は２コマ目と３コマ目の間隔、ｔI3は３コマ目と４コマ目の間隔、ｔI4は４コマ目と５コマ目の間隔（ｔI1＝ｔI2＝ｔI3＝ｔI4＝2.0msec）、ｔ1は１コマ撮影までのレリーズタイムラグ、ｔ2は２コマ撮影までのレリーズタイムラグ、ｔ3は３コマ撮影までのレリーズタイムラグ（標準のレリーズタイムラグに相当）、ｔ4は４コマ撮影までのレリーズタイムラグ、ｔ5は５コマ撮影までのレリーズタイムラグ、ｔ13は適正露出時間、ｔ11は１コマ目の撮影の露出時間（＝ｔ13＋(2/3)ＥＶ）、ｔ12は２コマ目の撮影の露出時間（＝ｔ13＋(1/3)ＥＶ）、ｔ14は４コマ目の撮影の露出時間（＝t13−(1/3)ＥＶ）、ｔ15は５コマ目の撮影の露出時間（＝t13−(2/3)ＥＶ）をそれぞれ意味している。
【００３４】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ1，ｔ2，ｔ3，ｔ4，ｔ5をもって連続５回の撮像を撮像素子１４により行う。即ち、制御回路４０は連写モード時においては、通常撮影モード時の基本タイミングで１回、基本タイミングの前後、所定の間隔ｔI2，ｔI3のタイミングで２回、基本タイミングの前後、所定の間隔ｔI1＋ｔI2，ｔI3＋ｔI4のタイミングで２回の計５回の撮影を行うように制御する。
【００３５】
さらに、各撮影の露出時間は、１回目の撮影ではｔ11（＝ｔ13＋(2/3)ＥＶ）、２回目の撮影ではｔ12（＝ｔ13＋(1/3)ＥＶ）、３回目の撮影ではｔ13、４回目の撮影ではｔ14（＝t13−(1/3)ＥＶ）、５回目の撮影ではｔ15（＝t13−(2/3)ＥＶ）となるように、制御回路４０は各部を制御する。つまり、撮影のタイミング制御を重視しつつ、高速移動はしていないものの、変化のあるような被写体について一瞬の中で自分の所望とする露出状態での撮影が実現される。
【００３６】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、５００コマ／sec程度の連写が可能な素子シャッタ付きのイメージャを採用する。
【００３７】
以下、図６のフローチャートを参照して、本発明の第１の実施の形態に係るデジタルカメラによる撮影動作を更に詳細に説明する。ここでは、図１乃至図３を適宜参照する。
【００３８】
先ず、フラグＮを０とした後（ステップＳ１）、シャッタ釦２１が半押しされてファーストレリーズ（以下、１Ｒと略記する）がオンされると（ステップＳ２）、測距ユニット１２による測距、測光ユニット９による測光が行われ（ステップＳ３，Ｓ４）、露光量を決定し（ステップＳ５）、被写体輝度が十分であるか（所定の閾値以下であるか否か）を判断し（ステップＳ４）、十分でない場合にはストロボ発光量演算を行い（ステップＳ７）、ストロボ発光のためのフラグＦを１にセットし（ステップＳ８）、ステップＳ９に移行してシャッタ釦２１の全押しによるセカンドレリーズ（以下、２Ｒと略記する）がオンされるまでステップＳ１乃至Ｓ８の処理を繰り返す。
【００３９】
２Ｒがオンされると（ステップＳ９）、クイックリターンミラー５をアップすると共にレンズの絞込みを行い（ステップＳ１０）、後述する設定時間の為、タイマーをスタートさせる（ステップＳ１１）。連写モード（複数駒撮影モード）であるか否かを判断する（ステップＳ１２）。
【００４０】
連写モードではない場合には、ミラー５が上がって、完全な撮像が行なえるように、ミラーアップからの所定時間を設定し、その設定時間が経過するまで待機し(ステップＳ１３)、ＣＣＤの不要な電荷を排出するため撮像素子をリセットし（ステップＳ１４）、シャッタユニット４４に含まれるシャッタ先幕マグネットをオフし（ステップＳ１５）、上記ストロボ発光に係るフラグＦの状態を検出し（ステップＳ１６）、Ｆ＝１である場合にはストロボ発光部５８によるストロボ発光を行う（ステップＳ１７）。一方、このストロボ発光の後、或いは上記ステップＳ１６でＦ＝０である場合には、シャッタ後幕マグネットをオフし（ステップＳ１８）、撮像素子１４のデータを読み出し（ステップＳ１９）、ステップＳ３４以降の処理に進む。
【００４１】
一方、連写モードである場合には、シャッタユニット４４に含まれるシャッタ先幕マグネットをオフし（ステップＳ２０）、上記設定時間の経過まで待機し（ステップＳ２１）、設定時間が経過すると撮像素子１４をリセットし（ステップＳ２２）、上記ストロボ発光に係るフラグＦの状態を検出し（ステップＳ２３）、Ｆ＝１である場合にはストロボ発光部５８によるストロボ発光を行う（ステップＳ２４）。一方、Ｆ＝０である場合には、撮像素子１４のデータを読み出し（ステップＳ２５）、露出設定回数だけ上記ステップＳ２２乃至Ｓ２５の処理を繰り返したか否かを判断し、露出設定回数だけ完了していない場合にはブラケット撮影を行なうか否かを判断し（ステップＳ２８）、ブラケット撮影を行なわない場合には上記ステップＳ２３に戻り、上記動作を繰り返す。
【００４２】
一方、ブラケット撮影を行なう場合には、フラグＮの状態を検出し（ステップＳ２９）、Ｎ＝０である場合にはＡＬＰＨＡ＝（ＥＸ−１）／２（ＥＸ；ブラケット撮影コマ数）の演算を行い（ステップＳ３０）、その後、ステップＳ３１に進む。そして、露光量＝適正露光量＋ＡＬＰＨＡ×補正露光量分とし（ステップＳ３１）、ＡＬＰＨＡ＝ＡＬＰＨＡ−１とし（ステップＳ３２）、Ｎ＝１とした後（ステップＳ３３）、上記ステップＳ２３に戻り、上記動作を繰り返す。
【００４３】
つまり、この例では、１／２ＥＶだけ露光量を変更しながら奇数回の撮影を行なうように、制御回路４０は調整する。そして、露出設定回数だけ処理が終了すると、シャッタ後幕マグネットをオフし（ステップＳ２７）、ステップＳ３４以降の処理に進む。
【００４４】
こうして、クイックリターンミラー５をダウンすると共にレンズ絞り開放とし（ステップＳ３４）、メカチャージを行い（ステップＳ３５）、ストロボ発光に係るフラグＦを０とし（ステップＳ３６）、この動作を終了する。
【００４５】
以上詳述したように、本発明の第１の実施の形態に係るデジタルカメラによれば、複数駒撮影を行なう場合において各撮影時の露出時間を変化させることができるので、１回のクイックリターンミラー５の動作中の撮影枚数を切換可能なデジタルカメラにおいて、撮影のタイミング制御を重視しつつ、高速移動はしていないものの変化のあるような被写体について一瞬の中で自分の所望とする露出状態での撮影が実現されることになる。
【００４６】
(第２の実施の形態)
本発明の第２の実施の形態に係るデジタルカメラの構成は図１乃至図３と同様であるので、ここでは同一構成については同一符号をもって説明を進める。
【００４７】
先ず、図７のタイミングチャートを参照して、本発明の第２の実施の形態に係るデジタルカメラによる連写モード（３コマ撮影）時の撮影動作について詳細に説明する。
【００４８】
以下の説明では、図１乃至図３の構成図を適宜参照する。
【００４９】
図中、ｔBはファインダの像消失時間を示し、ｔI1は１コマ目と２コマ目の間隔、ｔI2は２コマ目と３コマ目の間隔（ｔI1＝ｔI2＝3.3msec）、ｔ1は１コマ撮影までのレリーズタイムラグ、ｔ2は２コマ撮影までのレリーズタイムラグ（標準のレリーズタイムラグに相当する）、ｔ3は３コマ撮影までのレリーズタイムラグ、ｔs1〜ｔs3はストロボ発光時間（ここでは、ｔs1＝ｔs2＝ｔs3）である。
【００５０】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。そして、制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ1，ｔ2，ｔ3をもって連続３回の撮像を撮像素子１４により行う。
【００５１】
すなわち、制御回路４０は、連写モード時においては、通常撮影モード時の撮影タイミングで１回、そのタイミングの前後、所定の間隔ｔI1，ｔI2（例えば３．３msec）のタイミングで２回の計３回の撮影を行うように制御することになる。
【００５２】
このとき、各撮影のタイミングに同期して、所定のストロボ発光時間（ここでは、ｔs1＝ｔs2＝ｔs3）でストロボの発光を行なう。
【００５３】
尚、これに加えて、露出時間を、第１の実施の形態の図４のように制御することで、撮影のタイミング制御を重視しつつ、高速移動はしていないものの、変化のあるような被写体について一瞬の中で自分の所望とする露出状態での撮影が実現されるようにしてもよい。
【００５４】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、３００コマ／sec程度の連写が可能な素子シャッタ付きのイメージャを採用する。
【００５５】
先ず、図８のタイミングチャートを参照して、本発明の第２の実施の形態に係るデジタルカメラによる連写モード（３コマ撮影）時の撮影動作について詳細に説明する。
【００５６】
以下の説明では、図１乃至図３の構成図を適宜参照する。
【００５７】
図中、ｔBはファインダの像消失時間を示し、ｔI1は１コマ目と２コマ目の間隔、ｔI2は２コマ目と３コマ目の間隔（例えば、ｔI1＝ｔI2＝3.3msec）、ｔ1は１コマ撮影までのレリーズタイムラグ、ｔ2は２コマ撮影までのレリーズタイムラグ（標準のレリーズタイムラグに相当する）、ｔ3は３コマ撮影までのレリーズタイムラグ、ｔs1〜ｔs3はストロボ発光時間（ここでは、ｔs2が適正ストロボ発光時間、ｔs1＝ｔs2＋０．５ＥＶ、ｔs3＝ｔs2＋０．５ＥＶ）である。但し、これらの関係には限定されない。
【００５８】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。そして、制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ1，ｔ2，ｔ3をもって連続３回の撮像を撮像素子１４により行う。
【００５９】
すなわち、制御回路４０は、連写モード時においては、通常撮影モード時の撮影タイミングで１回、そのタイミングの前後、所定の間隔ｔI1，ｔI2（例えば、3.3msec）のタイミングで２回の計３回の撮影を行うように制御することになる。
【００６０】
このとき、各撮影のタイミングに同期して、ストロボ発光時間ｔs1（＝ｔs2＋０．５ＥＶ）、ｔs2、ｔs3（＝ｔs2−０．５ＥＶ）でストロボの発光を行なう。これによって、連続して露出される各撮影駒の露出条件が変わるので、それらの中で自分の所望の撮影駒を選択できる。
【００６１】
尚、これに加えて、露出時間を、第１の実施の形態の図４のように制御することで、撮影のタイミング制御を重視しつつ、高速移動はしていないものの、変化のあるような被写体について一瞬の中で自分の所望とする露出状態での撮影が実現されるようにしてもよい。
【００６２】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、３００コマ／sec程度の連写が可能な素子シャッタ付きのイメージャを採用する。
【００６３】
次に、図９のタイミングチャートを参照して、本発明の第１の実施の形態に係るデジタルカメラによる連写モード（５コマ撮影）時の撮影動作について詳細に説明する。
【００６４】
以下の説明では、図１乃至図３の構成図を適宜参照する。尚、図６中、ｔBはファインダの像消失時間を示し、ｔI1は１コマ目と２コマ目の間隔、ｔI2は２コマ目と３コマ目の間隔、ｔI3は３コマ目と４コマ目の間隔、ｔI4は４コマ目と５コマ目の間隔（ｔI1＝ｔI2＝ｔI3＝ｔI4＝2.0msec）、ｔ1は１コマ撮影までのレリーズタイムラグ、ｔ2は２コマ撮影までのレリーズタイムラグ、ｔ3は３コマ撮影までのレリーズタイムラグ（標準のレリーズタイムラグに相当）、ｔ4は４コマ撮影までのレリーズタイムラグ、ｔ5は５コマ撮影までのレリーズタイムラグである。
【００６５】
さらに、ｔs3は適正ストロボ発光時間、ｔ11は１コマ目の撮影のストロボ発光時間（＝ｔs3＋(2/3)ＥＶ）、ｔs2は２コマ目の撮影のストロボ発光時間（＝ｔs3＋(1/3)ＥＶ）、ｔs4は４コマ目の撮影のストロボ発光時間（＝ts3−(1/3)ＥＶ）、ｔs5は５コマ目の撮影のストロボ発光時間（＝ts3−(2/3)ＥＶ）をそれぞれ意味している。
【００６６】
シャッタ釦２１が押下され、セカンドレリーズがオンされると、制御回路４０は所定時間を経て絞りモータを正転駆動して不図示の絞りを絞り込み、更にクイックリターンミラー５のアップを開始する。制御回路４０は、当該クイックリターンミラー５が完全にアップされると、シャッタ駆動回路４３によりシャッタユニット４４に含まれるフォーカルプレーンシャッタ１３を駆動して開口状態とし、レリーズタイムラグｔ1，ｔ2，ｔ3，ｔ4，ｔ5をもって連続５回の撮像を撮像素子１４により行う。即ち、制御回路４０は連写モード時においては、通常撮影モード時の基本タイミングで１回、基本タイミングの前後、所定の間隔ｔI2，ｔI3のタイミングで２回、基本タイミングの前後、所定の間隔ｔI1＋ｔI2，ｔI3＋ｔI4のタイミングで２回の計５回の撮影を行うように制御する。
【００６７】
さらに、各撮影の際のストロボ発光時間は、１回目の撮影ではｔs1（＝ｔs3＋(2/3)ＥＶ）、２回目の撮影ではｔs2（＝ｔs3＋(1/3)ＥＶ）、３回目の撮影ではｔs3、４回目の撮影ではｔs4（＝ts3−(1/3)ＥＶ）、５回目の撮影ではｔs5（＝ts3−(2/3)ＥＶ）となるように、制御回路４０は各部を制御する。つまり、確実なストロボ発光の下で各コマを撮影することができるので、高速移動はしていないものの、変化のあるような被写体について一瞬の中で自分の所望とする露出状態での撮影が実現される。
【００６８】
クイックリターンミラー５はファインダの像消失時間だけアップされているが、制御回路４０は、クイックリターンミラー５をダウンし、絞りモータを逆転駆動して絞りを初期状態に戻し、モータをオンしてシャッタユニット４４をメカチャージし、こうして全ての動作を終了する。以上の撮影動作を実現すべく、この実施の形態では、５００コマ／sec程度の連写が可能な素子シャッタ付きのイメージャを採用する。
【００６９】
以下、図１０のフローチャートを参照して、本発明の第１の実施の形態に係るデジタルカメラによる撮影動作を更に詳細に説明する。ここでは、図１乃至図３を適宜参照する。
【００７０】
図６との相違点だけに異なるステップ番号を付して説明すると、このフローでは、ステップＳ５０でストロボ適正発光量を演算している。
【００７１】
さらに、ステップＳ５１でストロボ発光量の調整を行なっている点で第１の実施の形態と相違する。即ち、ブラケット撮影を行なう場合には、フラグＮの状態を検出し、Ｎ＝０である場合にはＡＬＰＨＡ＝（ＥＸ−１）／２（ＥＸ；ブラケット撮影コマ数）とした後、ストロボ発光量＝ストロボ適正発光量＋ＡＬＰＨＡ×ストロボ補正発光量分とし（ステップＳ５１）、ＡＬＰＨＡ＝ＡＬＰＨＡ−１とし（ステップＳ３２）、Ｎ＝１とした後（ステップＳ３３）、ステップＳ２３に戻り、上記動作を繰り返す。つまり、この例では、１／２ＥＶだけストロボ発光量を変更しながら奇数回の撮影に合わせてストロボ発光部５８がストロボ発光を行なうように、制御回路４０はストロボ発光量を調整する。
【００７２】
以上説明したように、本発明の第２の実施の形態によれば、本発明の第２の実施の形態に係るデジタルカメラによれば、複数駒撮影を行なう場合において各撮影時のストロボ発光時間を変化させることができるので、１回のクイックリターンミラー５の動作中の撮影枚数を切換可能なデジタルカメラにおいて、高速移動はしていないものの変化のあるような被写体について一瞬の中で自分の所望とする露出状態での撮影が実現される。
【００７３】
以上、本発明の実施の形態について説明したが、本発明はこれに限定されることなくその主旨を逸脱しない範囲で種々の改良・変更が可能である。例えば、前述した技術はデジタルカメラのみならず、撮像素子を用いて撮影を行なう各種の装置に適用可能である。
【図面の簡単な説明】
【００７４】
【図１】（ａ）は本発明の第１の実施の形態に係るデジタルカメラの正面図、（ｂ）はデジタルカメラの側面図である。
【図２】図１のデジタルカメラを背面側より見た外観斜視図である。
【図３】本発明の第１の実施の形態に於けるデジタルカメラの電気系のシステム構成を示すブロック図である。
【図４】本発明の第１の実施の形態に係るデジタルカメラによる連写モード（３コマ撮影）時の撮影動作について詳細に説明するタイムチャートである。
【図５】本発明の第１の実施の形態に係るデジタルカメラによる連写モード（５コマ撮影）時の撮影動作について詳細に説明するタイムチャートである。
【図６】本発明の第１の実施の形態に係るデジタルカメラによる撮影動作を更に詳細に説明するフローチャートである。
【図７】本発明の第２の実施の形態に係るデジタルカメラによる連写モード（３コマ撮影）時の撮影動作について詳細に説明するタイムチャートである。
【図８】本発明の第２の実施の形態に係るデジタルカメラによる連写モード（３コマ撮影）時の撮影動作について詳細に説明するタイムチャートである。
【図９】本発明の第２の実施の形態に係るデジタルカメラによる連写モード（５コマ撮影）時の撮影動作について詳細に説明するタイムチャートである。
【図１０】本発明の第２の実施の形態に係るデジタルカメラによる撮影動作を更に詳細に説明するフローチャートである。
【符号の説明】
【００７５】
１・・・デジタルカメラ、２・・・ボディユニット、３・・・レンズユニット、４・・・撮影レンズ、５・・・クイックリターンミラー、６・・・ファインダスクリーン、７・・・ペンタプリズム、８・・・接眼光学系、９・・・測光ユニット、１０・・・バッテリ、１１・・・測距用ミラー、１２・・・測距ユニット、１３・・・フォーカルプレーンシャッタ、１４・・・撮像素子、１５・・・メイン回路基板、１６・・・モニタ、１７・・・ストロボユニット。
【図１】
2006166027.tif 000003
【図２】
2006166027.tif 000004
【図３】
2006166027.tif 000005
【図４】
2006166027.tif 000006
【図５】
2006166027.tif 000007
【図６】
2006166027.tif 000008
【図７】
2006166027.tif 000009
【図８】
2006166027.tif 000010
【図９】
2006166027.tif 000011
【図１０】
2006166027.tif 000012